(57)【特許請求の範囲】
【請求項１】
映像機器の内部に陰極線管と共に装着されるスピーカ装置であって、前記陰極線管の内部のシャドウマスクの共振周波数に合致する周波数帯域を１／８オクターブ以下の帯域でカットした信号を増幅器出力としてスピーカに入力するスピーカ装置。
【請求項２】
スピーカから放射された音波を入力信号とするマイクロフォンの出力信号を帰還回路を介して制御部で所望の信号に補正して増幅器に入力する請求項１記載のスピーカ装置。
【発明の詳細な説明】
【技術分野】
【０００１】
本発明はテレビジョン受像機やコンピューターディスプレイなどの映像機器に組み込まれて使用されるスピーカ装置に関するものである。
【背景技術】
【０００２】
スピーカの前面部にコーンや音響管を設け、スピーカから発生した音波を開口部まで導く方法は、出力音圧が大きく得られることや、テレビジョン受像機器などのスリム化が図れるなどの利点があり、従来から多く用いられている。
【０００３】
以下、図面を参照しながら従来の音響管を用いたスピーカ装置について説明する。
【０００４】
図４は上記従来の音響管を用いたスピーカ装置を搭載して構成されたテレビジョン受像機およびスピーカ装置を一部切欠断面にて示した斜視図である。図４において１はスピーカ、２はスピーカ１を取付けた音響管、３はテレビキャビネット、４は陰極線管、５は陰極線管内部のシャドウマスク、６は音響管２の開口部、７は音響管２の内部に設けた吸音材を示す。
【０００５】
以上のように構成された従来の音響管２を用いたスピーカ装置を内蔵して構成されたテレビジョン受像機の機能について以下に説明する。図４に示すように、スピーカ１を取付けた音響管２をテレビジョン受像機内部の陰極線管４に沿わせて内蔵し、さらにテレビキャビネット３を前記音響管２に沿わせる構造とすることにより、テレビジョン受像機の小形スリム化が可能となるものである。
【０００６】
また、前記スピーカ装置は、音響管２の内部にスピーカ１より放射される音波をより自然に音響管２の開口部６に導くために、音響管２の長さおよび形状に合わせて最適配置され音響管２の内部に発生する定在波を除去するための吸音材７が設けられた構成となっており、これによってテレビジョン受像機などの高音質化が図れるものである。なお、このような構成のスピーカ装置としては特許文献１に記載のものがある。
【特許文献１】特開平６−２２５３７８号公報
【発明の開示】
【発明が解決しようとする課題】
【０００７】
しかしながら上記従来の構成では、スピーカ１および音響管２を陰極線管４に近接配置する構成としたために、コンピューターディスプレイなどの映像機器に用いた場合には、陰極線管４の内部のシャドウマスク５が、スピーカ１より放射された音波と共振現象を起こし、画像が乱れるといった現象が生じるという課題を有していた。図５にシャドウマスク５の共振現象と周波数特性との関係を示した特性図を示す。
【０００８】
本発明は上記従来の問題点を解決するもので、テレビジョン受像機やコンピューターディスプレイなどの映像機器に利用されるスピーカ装置およびそれを用いた映像機器のさらなる高性能化を可能とするスピーカ装置およびそれを用いた映像機器を提供することを目的とするものである。
【課題を解決するための手段】
【０００９】
本発明の請求項１に記載のスピーカ装置は、映像機器などに用いられる陰極線管内部のシャドウマスクの共振周波数に合致する周波数帯域を１／８オクターブ以下の帯域でカットした信号を入力信号としてスピーカより再生する構成とし、コンピューターディスプレイなどの高画質化が要求される映像機器用のスピーカ装置においても、陰極線管内部のシャドウマスクの共振現象を防止することが可能となり、画像の乱れを防ぐことが可能となるものである。
【００１０】
本発明の請求項２に記載のスピーカ装置は、請求項１に記載のスピーカ装置において、スピーカから放射された音波を入力信号とするマイクロフォンの出力信号を帰還回路を介して制御部で所望の信号に補正して増幅器に入力するように構成したものであり、映像機器の高性能化に対応したスピーカの性能と音場特性の自動制御することを兼ねた映像機器の小形スリム化を可能にするスピーカ装置のさらなる高音質化を実現できるものである。
【発明の効果】
【００１１】
本発明は、映像機器などに用いられる陰極線管内部のシャドウマスクの共振周波数に合致する周波数帯域を１／８オクターブ以下の帯域でカットした入力信号としてスピーカより再生する構成とすることで、映像機器の高画質化が実現できるものである。
【発明を実施するための最良の形態】
【００１２】
以下、本発明の実施の形態を図１〜図３に基づいて説明する。
【００１３】
なお、従来技術と同一部分については同一番号を付し、説明を省略して説明する。
【００１４】
（実施の形態１）
図１は本発明の一実施の形態におけるスピーカ装置およびそれを用いた映像機器のアンプより出力された最終的にスピーカに入力されるスピーカ入力信号の周波数特性図である。
【００１５】
図１に示すように増幅器から出力され、スピーカに入力されるスピーカ入力信号を、陰極線管内部のシャドウマスクの共振周波数に合致する周波数帯域Ａ，Ｂ，Ｃ，Ｄを１／８オクターブ以下の帯域でカットする構成としたものであり、この構成とすることで陰極線管内部のシャドウマスクの共振現象を防止することが可能となり、画像の乱れを防止することが可能となるものである。
【００１６】
図２は本実施の形態におけるスピーカ装置を搭載して構成された映像機器を一部切欠して示した斜視図である。図２において１はスピーカ、２はスピーカ１を取付けた音響管、３はキャビネット、４は陰極線管、５は陰極線管内部のシャドウマスク、６は音響管２の開口部、７は音響管２の内部に設けた吸音材、８は音響管２の内部に設けたマイクロフォン、９はマイクロフォン８の信号をアンプ入力へ帰還をかけるためのマイクロフォンコード、１０はスピーカ１への入力信号を入力するためのスピーカ入力コードを示す。
【００１７】
図３は上記図２に示した本実施の形態におけるスピーカ装置およびそれを用いた映像機器のスピーカ入力信号処理の回路構成を示したブロック図である。図２および図３に示すように本発明のスピーカ装置の場合、スピーカ１の前面に開口部が細長くほぼ矩形形状に近い形状に構成された音波を導く音響管２を結合し、この音響管２の内部にマイクロフォン８を設け、音響管２の内部にスピーカ１より放射される音波をマイクロフォン信号として処理して、マイクロフォンコード９よりアンプ入力へ帰還をかける構成とし、陰極線管４の内部のシャドウマスク５の共振周波数に合致する各周波数帯域を、図１に示すスピーカ入力信号の周波数特性図のようにカットすることでシャドウマスク５の共振現象を防止し、映像機器の高画質化を実現することが可能となるものである。
【００１８】
また、前記音響管２の内部の音波をマイクロフォン８で分析し帰還信号として処理することで、音響管２の内部に設けた吸音材７で除去しきれなかった定在波をも制御することが可能であり、ひいてはより自然な音響再生を可能とするスピーカ装置の実現も可能となるものである。
【産業上の利用可能性】
【００１９】
本発明にかかるスピーカ装置はテレビジョン受像機に限定されることはなく、コンピュータディスプレーなどの陰極線管を用いた映像機器に用いられ、スピーカ装置からの放音による陰極線管のシャドウマスクの共振現象による映像の乱れを抑制するために効果を有するものである。
【図面の簡単な説明】
【００２０】
【図１】本発明の一実施の形態におけるスピーカ装置およびそれを用いた映像機器のアンプより出力され最終的にスピーカに入力されるスピーカ入力信号の周波数特性図
【図２】本実施の形態におけるスピーカ装置を搭載して構成された映像機器を一部切欠して示した斜視図
【図３】図２に示した本実施の形態におけるスピーカ装置およびそれを用いた映像機器のスピーカ入力信号処理の回路構成を示したブロック図
【図４】従来の音響管を用いたスピーカ装置を搭載して構成されたテレビジョン受像機およびスピーカ装置を一部切欠断面にて示した斜視図
【図５】シャドウマスクの共振現象と周波数特性との関係を示した特性図
【符号の説明】
【００２１】
Ａ  陰極線管内部のシャドウマスクの第１の共振周波数に合致する部分のスピーカ入力信号をカットした周波数帯域
Ｂ  陰極線管内部のシャドウマスクの第２の共振周波数に合致する部分のスピーカ入力信号をカットした周波数帯域
Ｃ  陰極線管内部のシャドウマスクの第３の共振周波数に合致する部分のスピーカ入力信号をカットした周波数帯域
Ｄ  陰極線管内部のシャドウマスクの第４の共振周波数に合致する部分のスピ―カ入力信号をカットした周波数帯域
１  スピーカ
２  音響管
３  キャビネット
４  陰極線管
５  シャドウマスク
６  開口部
７  吸音材
８  マイクロフォン
９  マイクロフォンコード
１０  スピーカ入力コード
【図１】
0003714347.tif 000002
【図２】
0003714347.tif 000003
【図３】
0003714347.tif 000004
【図４】
0003714347.tif 000005
【図５】
0003714347.tif 000006